(57)【要約】【課題】  起動時にモバイル装置が提供するコンテンツの出力をすみやかに復帰する「データ処理装置及びコンピュータプログラム」を提供する。【解決手段】  車載装置１は、モバイル装置２から受信したストリーミングデータST1の出力中に、ST1のプレイタイムT0でACC電源のオフが発生すると、ST1の出力を停止した後、T0から所定時間後のプレイタイムT1までのST1の受信とレジューム用データとしての保存を行った後に動作を停止する。その後、車載装置１は、ACC電源がオンとなると起動し、レジューム用データとして保存されているT0からT1までのストリーミングデータST1を出力を開始し、車載装置１の起動後に接続したモバイル装置２にST1のT1の位置からの送信を行わせる。そして、レジューム用データの出力が完了したならば、モバイル装置２から受信したST1のT1の位置からの出力を開始する。【選択図】図４
2015015663.tif 000002
【特許請求の範囲】
【請求項１】
無線通信接続されたモバイル装置のアプリケーションにより送信されるコンテンツデータを受信して再生または表示するデータ処理装置であって、
前記モバイル装置の前記アプリケーションから受信したコンテンツデータを再生または表示中に、当該データ処理装置の動作が停止された場合、前記コンテンツデータをレジューム用コンテンツデータとして保存するレジューム用データ保存手段と、
前記データ処理装置の動作開始時に、無線通信接続が可能なモバイル装置との無線通信接続を確立する接続確立手段と、
前記データ処理装置の動作開始時に、前記レジューム用コンテンツデータが保存されている場合には、前記レジューム用コンテンツデータの再生または表示を開始するレジューム処理手段と、
を有することを特徴とするデータ処理装置。
【請求項２】
請求項１記載のデータ処理装置であって、
当該データ処理装置の動作が停止されたときに再生中の前記コンテンツデータがオーディオまたはビデオのストリームデータである場合、
前記レジューム用データ保存手段は、前記モバイル装置の前記アプリケーションをから受信したストリームデータを再生中に、当該データ処理装置の動作が停止されたとき、前記データ処理装置の動作停止時から所定再生時間分の前記ストリームデータを前記レジューム用コンテンツデータとして保存すると共に、前記モバイル装置の識別と前記アプリケーションの識別とをレジューム情報として保存し、
前記レジューム処理手段は、前記レジューム用コンテンツデータを再生中に前記レジューム情報に識別が保存されている前記モバイル装置との接続が確立されたとき、当該モバイル装置に前記レジューム用コンテンツデータとして保存されているストリームデータと同じストリームの前記レジューム用コンテンツデータ以降のストリームデータの前記レジューム情報に識別が保存されているアプリケーションによる送信を開始させると共に、前記レジューム用コンテンツデータの再生が完了した時点で、当該モバイル装置から受信したストリームデータの再生を先頭から開始する、
ことを特徴とするデータ処理装置。
【請求項３】
請求項１または２記載のデータ処理装置であって、
当該データ処理装置の動作が停止されたときに表示中の前記コンテンツデータが静止画データである場合、
前記レジューム用データ保存手段は、前記モバイル装置から送信された静止画データを表示中に、当該データ処理装置の動作が停止されたとき、前記静止画データを前記レジューム用コンテンツデータとして保存し、
前記レジューム処理手段は、前記データ処理装置の動作開始時に、前記レジューム用コンテンツデータとして保存されている静止画データを表示する、
ことを特徴とするデータ処理装置。
【請求項４】
請求項１記載のデータ処理装置であって、
前記コンテンツデータが地図データである場合、
前記レジューム用データ保存手段は、前記モバイル装置の前記アプリケーションから受信した地図データを表示中に、当該データ処理装置の動作が停止されたとき、前記表示している地図を表す地図データを現用地図データとして含むと共に、前記現用地図データと異なる縮尺の地図を表す地図データを他縮尺地図データとして含む前記レジューム用コンテンツデータを保存し、
前記レジューム処理手段は、前記データ処理装置の動作開始時に、前記レジューム用コンテンツデータに含まれる現用地図データが表す地図の表示を開始すると共に、ユーザの縮尺変更操作を受け付けた場合に、前記レジューム用コンテンツデータに含まれる他縮尺地図データが表す地図に表示を更新する、
ことを特徴とするデータ処理装置。
【請求項５】
請求項１記載のデータ処理装置であって、
前記コンテンツデータが地図データである場合、
前記レジューム用データ保存手段は、前記モバイル装置の前記アプリケーションから受信した地図データを表示中に、当該データ処理装置の動作が停止されたとき、前記表示している地図を最終表示地図として、当該最終表示地図の地理的範囲を含む、より広域の地理的範囲の地図を表す地図データを前記モバイル装置から取得して前記レジューム用コンテンツデータとして保存し、
前記レジューム処理手段は、前記データ処理装置の動作開始時に、前記レジューム用コンテンツデータを用いて、前記最終表示地図の表示を行うと共に、ユーザのスクロール操作を受け付けた場合に、前記レジューム用コンテンツデータを用いて、表示する前記地図の地理的範囲を変更する、
ことを有することを特徴とするデータ処理装置。
【請求項６】
請求項４または請求項５記載のデータ処理装置であって、
前記レジューム用データ保存手段は、前記モバイル装置の前記アプリケーションから受信した地図データを表示中に、当該データ処理装置の動作が停止されたとき、前記レジューム用コンテンツデータに加え、前記モバイル装置の識別と前記アプリケーションの識別とをレジューム情報として保存し、
前記レジューム処理手段は、前記レジューム用コンテンツデータとして保存されている地図データを表示中に、前記レジューム情報に識別が保存されている前記モバイル装置との接続が確立されたとき、当該地図データの表示を中止するとともに、前記モバイル装置に、前記レジューム情報に識別が保存されているアプリケーションによる地図データの送信を開始させ、受信した地図データを表示する、
ことを特徴とするデータ処理装置。
【請求項７】
請求項１、２、３、４、５または６記載のデータ処理装置であって、
当該データ処理装置は、自動車のＡＣＣ電源オンに伴い動作を開始し、自動車のＡＣＣ電源オフに伴い動作を停止する自動車に搭載された装置であることを特徴とするデータ処理装置。
【請求項８】
コンピュータによって読みとられ実行されるコンピュータプログラムであって、
前記コンピュータを、
無線通信接続されたモバイル装置のアプリケーションにより送信されるコンテンツデータを受信して再生または表示する出力手段と、
前記モバイル装置の前記アプリケーションから受信したコンテンツデータを再生または表示中に、当該コンピュータの動作が停止された場合、前記コンテンツデータをレジューム用コンテンツデータとして保存するレジューム用データ保存手段と、
当該コンピュータの動作開始時に、無線通信接続が可能なモバイル装置との無線通信接続を確立する接続確立手段と、
当該コンピュータの動作開始時に、前記レジューム用コンテンツデータが保存されている場合には、前記レジューム用コンテンツデータの再生または表示を開始するレジューム処理手段と、
して機能させることを特徴とするコンピュータプログラム。
【請求項９】
コンピュータによって読みとられ実行されるコンピュータプログラムであって、
当該コンピュータの動作が停止されたときに再生中の前記コンテンツデータがオーディオまたはビデオのストリームデータである場合、
前記レジューム用データ保存手段は、前記モバイル装置の前記アプリケーションをから受信したストリームデータを再生中に、当該コンピュータの動作が停止されたとき、前記データ処理装置の動作停止時から所定再生時間分の前記ストリームデータを前記レジューム用コンテンツデータとして保存すると共に、前記モバイル装置の識別と前記アプリケーションの識別とをレジューム情報として保存し、
前記レジューム処理手段は、前記レジューム用コンテンツデータを再生中に前記レジューム情報に識別が保存されている前記モバイル装置との接続が確立されたとき、当該モバイル装置に前記レジューム用コンテンツデータとして保存されているストリームデータと同じストリームの前記レジューム用コンテンツデータ以降のストリームデータの前記レジューム情報に識別が保存されているアプリケーションによる送信を開始させると共に、前記レジューム用コンテンツデータの再生が完了した時点で、当該モバイル装置から受信したストリームデータの再生を先頭から開始する、
ことを特徴とするコンピュータプログラム。
【発明の詳細な説明】
【技術分野】
【０００１】
本発明は、データ処理装置において、接続されたモバイル装置から提供されるコンテンツを出力する技術に関するものである。
【背景技術】
【０００２】
データ処理装置において、接続されたモバイル装置から提供されるコンテンツを出力する技術としては、自動車に搭載されたデータ処理装置である車載システムにおいて、自動車の電源オフによる車載システムの動作停止に伴って車載システムとモバイル装置との接続が切断されるときに、当該時点のモバイル装置の車載装置へのコンテンツ提供状態を表すレジューム情報を保存し、車載システムとモバイル装置とが再接続されたときに、モバイル装置の車載システムへのコンテンツ提供状態をレジューム情報が表す状態に復帰する技術が知られている（たとえば、特許文献１）。
【先行技術文献】
【特許文献】
【０００３】
【特許文献１】特開２０１２-２１７１３０号公報
【発明の概要】
【発明が解決しようとする課題】
【０００４】
車載システムとモバイル装置とを、Wi-Fi(IEE802.11)などの無線通信によって接続する場合、接続確立手順が煩雑であるなどのために、自動車の電源がオンされて車載システムが動作を開始してから、車載システムとモバイル装置との再接続が確立するまでには比較的長時間を要する。
【０００５】
このため、上述した車載システムとモバイル装置との再接続時にレジューム情報を用いてモバイル装置の車載システムへのコンテンツ提供状態を復帰するだけでは、モバイル装置から車載システムへのコンテンツの提供が開始されて車載システムにおけるコンテンツの出力が行われるまで、長時間を要し、この間、ユーザは、車載システムにおいて、モバイル装置のコンテンツを利用することができない。
【０００６】
そこで、本発明は、接続されたモバイル装置から提供されるコンテンツを出力するデータ処理装置において、データ処理装置の起動時にモバイル装置が提供するコンテンツの出力をすみやかに復帰できるようにすることを課題とする。
【課題を解決するための手段】
【０００７】
前記課題達成のために、本発明は、無線通信接続されたモバイル装置のアプリケーションにより送信されるコンテンツデータを受信して再生または表示するデータ処理装置に、前記モバイル装置の前記アプリケーションから受信したコンテンツデータを再生または表示中に、当該データ処理装置の動作が停止された場合、前記コンテンツデータをレジューム用コンテンツデータとして保存するレジューム用データ保存手段と、前記データ処理装置の動作開始時に、無線通信接続が可能なモバイル装置との無線通信接続を確立する接続確立手段と、前記データ処理装置の動作開始時に、前記レジューム用コンテンツデータが保存されている場合には、前記レジューム用コンテンツデータの再生または表示を開始するレジューム処理手段とを備えたものである。
【０００８】
このようなデータ処理装置によれば、データ処理装置の動作開始直後から、モバイル装置の再接続を待たずに、前回の動作停止時に出力していたコンテンツデータの出力を、動作停止時の出力停止位置から復帰することができる。
ここで、このようなデータ処理装置は、当該データ処理装置の動作が停止されたときに再生中の前記コンテンツデータがオーディオまたはビデオのストリームデータである場合、前記レジューム用データ保存手段において、前記モバイル装置の前記アプリケーションをから受信したストリームデータを再生中に、当該データ処理装置の動作が停止されたとき、前記データ処理装置の動作停止時から所定再生時間分の前記ストリームデータを前記レジューム用コンテンツデータとして保存すると共に、前記モバイル装置の識別と前記アプリケーションの識別とをレジューム情報として保存し、前記レジューム処理手段において、前記レジューム用コンテンツデータを再生中に前記レジューム情報に識別が保存されている前記モバイル装置との接続が確立されたとき、当該モバイル装置に前記レジューム用コンテンツデータとして保存されているストリームデータと同じストリームの前記レジューム用コンテンツデータ以降のストリームデータの前記レジューム情報に識別が保存されているアプリケーションによる送信を開始させると共に、前記レジューム用コンテンツデータの再生が完了した時点で、当該モバイル装置から受信したストリームデータの再生を先頭から開始するようにしてもよい。
【０００９】
このようにすることにより、データ処理装置の動作開始直後から、モバイル装置の再接続を待たずに、前回の動作停止時に出力していたストリームのストリームデータの出力を、動作停止時の出力停止位置から復帰することができると共に、前回の動作停止時に出力していたストリームの出力を、前記レジューム用ストリームデータ以降のストリームデータについても、前記レジューム用ストリームデータの出力とシームレスに連続して行うことができるようになる。
【００１０】
また、以上のデータ処理装置は、当該データ処理装置の動作が停止されたときに表示中の前記コンテンツデータがが静止画データである場合、前記レジューム用データ保存手段において、前記モバイル装置から送信された静止画データを表示中に、当該データ処理装置の動作が停止されたとき、前記静止画データを前記レジューム用コンテンツデータとして保存し、前記レジューム処理手段において、前記データ処理装置の動作開始時に、前記レジューム用コンテンツデータとして保存されている静止画データを表示するようにしてもよい。
【００１１】
また、以上のデータ処理装置は、前記コンテンツデータが地図データである場合、前記レジューム用データ保存手段において、前記モバイル装置の前記アプリケーションから受信した地図データを表示中に、当該データ処理装置の動作が停止されたとき、前記表示している地図を表す地図データを現用地図データとして含むと共に、前記現用地図データと異なる縮尺の地図を表す地図データを他縮尺地図データとして含む前記レジューム用コンテンツデータを保存し、前記レジューム処理手段において、前記データ処理装置の動作開始時に、前記レジューム用コンテンツデータに含まれる現用地図データが表す地図の表示を開始すると共に、ユーザの縮尺変更操作を受け付けた場合に、前記レジューム用コンテンツデータに含まれる他縮尺地図データが表す地図に表示を更新するように構成してもよい。
【００１２】
または、以上のデータ処理装置は、前記コンテンツデータが地図データである場合、前記レジューム用データ保存手段において、前記モバイル装置の前記アプリケーションから受信した地図データを表示中に、当該データ処理装置の動作が停止されたとき、前記表示している地図を最終表示地図として、当該最終表示地図の地理的範囲を含む、より広域の地理的範囲の地図を表す地図データを前記モバイル装置から取得して前記レジューム用コンテンツデータとして保存し、前記レジューム処理手段において、前記データ処理装置の動作開始時に、前記レジューム用コンテンツデータを用いて、前記最終表示地図の表示を行うと共に、ユーザのスクロール操作を受け付けた場合に、前記レジューム用コンテンツデータを用いて、表示する前記地図の地理的範囲を変更するように構成してもよい。
【００１３】
なお、これらの地図データを表示するデータ処理装置は、前記レジューム用データ保存手段において、前記モバイル装置の前記アプリケーションから受信した地図データを表示中に、当該データ処理装置の動作が停止されたとき、前記レジューム用コンテンツデータに加え、前記モバイル装置の識別と前記アプリケーションの識別とをレジューム情報として保存し、前記レジューム処理手段において、前記レジューム用コンテンツデータとして保存されている地図データを表示中に、前記レジューム情報に識別が保存されている前記モバイル装置との接続が確立されたとき、当該地図データの表示を中止するとともに、前記モバイル装置に、前記レジューム情報に識別が保存されているアプリケーションによる地図データの送信を開始させ、受信した地図データを表示するように構成することが好ましい。
【００１４】
これらのモバイル装置から受信した地図データが表す地図を表示するデータ処理装置によれば、データ処理装置の動作開始直後から、モバイル装置の再接続を待たずに、前回の動作停止時の地図の表示を復帰することができると共に、ユーザ操作に応じて、当該地図のスクロールや縮尺変更も行うことができるようになる。
【００１５】
ここで、以上の各データ処理装置は、たとえば、自動車のＡＣＣ電源オンに伴い動作を開始し、自動車のＡＣＣ電源オフに伴い動作を停止する自動車に搭載された装置である。
【発明の効果】
【００１６】
以上のように、本発明によれば、接続されたモバイル装置から提供されるコンテンツを出力するデータ処理装置において、データ処理装置の起動時にモバイル装置が提供するコンテンツの出力をすみやかに復帰することができる。
【図面の簡単な説明】
【００１７】
【図１】本発明の実施形態に係る車載装置とモバイル装置の構成を示すブロック図である。
【図２】本発明の実施形態に係る終了処理を示すフローチャートである。
【図３】本発明の実施形態に係るレジューム処理を示すフローチャートである。
【図４】本発明の実施形態に係る終了処理とレジューム処理の処理例を示す図である。
【図５】発明の実施形態に係る地図情報保存処理を示すフローチャートである。
【図６】発明の実施形態に係る地図情報保存処理の処理例を示す図である。
【発明を実施するための形態】
【００１８】
以下、本発明の実施形態について、自動車に搭載される車載装置への適用を例にとり説明する。
図１に、本実施形態に係る車載装置とモバイル装置の構成を示す。
車載装置は、自動車に搭載される装置であり、自動車から常時供給される電源である常時電源と、イグニッションキーまたはイグニッションスイッチをオフ位置以外と位置としているときに自動車から供給されるACC電源とが自動車から供給されている。そして、車載システムは、常時電源の電力を使用して動作している。
【００１９】
さて、図示するように車載装置１は、入力装置１０１、表示装置１０２、スピーカなどを備えた音声出力装置１０３、Wi-Fi(IEE802.11)規格の無線ＬＡＮを介した通信を行うＷｉＦｉインタフェース１０４、車載装置１のオペレーティングシステム１０５、オペレーティングシステム１０５によって管理されオペレーティングシステム１０５上で稼働するアプリケーション（AP）、ラジオ放送やＴＶ放送の受信を行う放送受信機１０６、CDやDVDなどの記録ディスクの再生を行うディスクドライブ１０７、記憶装置１０８を備えている。
【００２０】
ただし、車載装置１は、ハードウエア的には、ＣＰＵやメモリなどを備えたコンピュータを用いて構成されるものであり、オペレーティングシステム１０５や、アプリケーションなどは、当該コンピュータが、所定のコンピュータプログラムを実行することにより実現されるものである。
【００２１】
そして、車載装置１は、オペレーティングシステム１０５上で稼働するアプリケーションとして、メディアプレイヤアプリケーション１１１や、リモートコンテンツ出力アプリケーション１１２や、その他のアプリケーション１１３を備えている。
ここで、メディアプレイヤアプリケーション１１１は、放送受信機１０６が受信した放送の音声出力装置１０３と表示装置１０２への出力や、ディスクドライブ１０７に装着された記録ディスクや記憶装置１０８に記録されているオーディオコンテンツやビデオコンテンツの音声出力装置１０３と表示装置１０２への再生出力などを行うアプリケーションである。
【００２２】
次に、モバイル装置２は、スマートフォンやタブレット端末や移動電話機やPDAなどのユーザによって携帯される装置であり、図示するように、操作部２０１、ディスプレイ２０２、マイクやスピーカなどを備えた音声入出力部２０３、Wi-Fi(IEE802.11)規格の無線ＬＡＮを介した通信を行うモバイルＷｉＦｉインタフェース２０４、モバイル装置２のＯＳであるところのモバイルオペレーティングシステム２０５、モバイルオペレーティングシステム２０５によって管理されモバイルオペレーティングシステム２０５上で稼働するアプリケーションであるモバイルアプリケーション、ＧＰＳ受信機２０６、ジャイロセンサ２０７、記憶部２０８、移動電話網にアクセスするための移動通信装置２０９を備えている。
【００２３】
ただし、モバイル装置２は、ハードウエア的には、ＣＰＵやメモリなどを備えたコンピュータを用いて構成されるものあり、モバイルオペレーティングシステム２０５や、モバイルアプリケーションなどは、当該コンピュータが、所定のコンピュータプログラムを実行することにより実現されるものである。
【００２４】
そして、モバイル装置２は、モバイルオペレーティングシステム２０５上で稼働するモバイルアプリケーションとして、移動通信装置２０９や音声入出力部２０３や操作部２０１を用いた移動電話機能を提供する移動電話アプリケーション２１１や、プレイヤアプリケーション２１２や、マップアプリケーション２１３や、その他のモバイルアプリケーションを備えている。
【００２５】
ここで、プレイヤアプリケーション２１２は、記憶部２０８に記録されているオーディオコンテンツやビデオコンテンツや画像コンテンツや、移動通信装置２０９を介してアクセスしたインターネットラジオ局から放送されるオーディオコンテンツや画像コンテンツ（ジャケット画像等）の、音声入出力部２０３とディスプレイ２０２への再生出力などを行うアプリケーションである。
【００２６】
また、マップアプリケーション２１３は、ＧＰＳ受信機２０６やジャイロセンサ２０７を利用してモバイルオペレーティングシステム２０５が算出した現在位置の周辺の地図や操作部２０１を介してユーザから指定を受け付けた地点周辺の地図などを、記憶部２０８に格納されている地図データベースや、移動通信装置２０９を介してアクセスした地図サーバから取得し、ディスプレイ２０２への再生出力する処理などを行うアプリケーションである。
【００２７】
さて、このような構成において、車載装置１とモバイル装置２は、近距離に位置するときには、ＷiＦｉインタフェースとモバイルＷiＦｉインタフェースを用いて相互に通信チャネルを接続することができる。ここで、このようなＷiＦｉインタフェースとモバイルＷiＦｉインタフェースを用いた車載装置１とモバイル装置２との通信チャネルの接続を便宜上、以下では「WiFi接続」と呼ぶこととする。
【００２８】
また、一旦、接続情報が設定された後は、ＷiＦｉインタフェースとモバイルＷiＦｉインタフェースとが相互に通信可能となると自動的に車載装置１とモバイル装置２とのWiFi接続が確立される。
そして、当該WiFi接続を介して、オペレーティングシステム１０５やモバイルオペレーティングシステム２０５の機能を利用しつつ、車載装置１のアプリケーションとモバイル装置２のモバイルアプリケーションとは相互に通信を行うことができる。
さて、このような構成において、車載装置１のリモートコンテンツ出力アプリケーション１１２は、機能ブロックとして、ＡＶ処理部１１２１とレジューム制御部１１２２とＧＵＩ処理部１１２３とを備えている。
そして、車載装置１とモバイル装置２とがWiFi接続しているときには、リモートコンテンツ出力アプリケーション１１２のＧＵＩ処理部１１２３は、所定のＧＵＩ画面を表示装置１０２に表示し、ＧＵＩ画面上でユーザの操作を入力装置１０１を介して受け付け、モバイル装置２のプレイヤアプリケーション２１２やマップアプリケーション２１３の動作を制御する。
【００２９】
一方、モバイル装置２のプレイヤアプリケーション２１２やマップアプリケーション２１３は、車載装置１のＧＵＩ処理部１１２３からの制御に従って動作し、出力コンテンツを車載装置１に送信する。ここで、出力コンテンツとは、プレイヤアプリケーション２１２であれば、記憶部２０８に記録されているオーディオコンテンツやビデオコンテンツや画像コンテンツや、移動通信装置２０９を介してアクセスしたインターネットラジオ局から放送されるオーディオコンテンツや画像コンテンツであり、マップアプリケーション２１３であれば地図を表す画像コンテンツである。なお、プレイヤアプリケーション２１２は、オーディオコンテンツやビデオコンテンツである出力コンテンツついては、当該出力コンテンツをストリームとするストリーミング再生可能なストリーミングデータとして車載装置１に送信する。
【００３０】
一方、車載装置１のリモートコンテンツ出力アプリケーション１１２のＡＶ処理部１１２１は、モバイル装置２から受信した出力コンテンツを必要に応じてデコードし、音声出力装置１０３や表示装置１０２に出力する。
次に、車載装置１のオペレーティングシステム１０５は、車載装置１に供給されているACC電源がオフすると、各アプリケーションに終了を要求する。終了を要求された各アプリケーションは、それぞれ所定の終了処理を行い、終了処理が終了したならば動作を停止する。そして、オペレーティングシステム１０５は、全てのアプリケーションが終了したならば、確立しているWiFi接続を切断し、車載装置１の動作を停止する。
【００３１】
また、車載装置１には、車載装置１に供給されているACC電源のオンを検出する機構が搭載されており、ACC電源がオンとなると車載装置１のオペレーティングシステム１０５は起動し、起動したオペレーティングシステム１０５は、リモートコンテンツ出力アプリケーション１１２を含む各アプリケーションを起動する。
【００３２】
以下、車載装置１のリモートコンテンツ出力アプリケーション１１２のレジューム制御部１１２２の動作について説明する。
レジューム制御部１１２２は、ACC電源がオフとなりオペレーティングシステム１０５からリモートコンテンツ出力アプリケーション１１２が終了を要求されたならば図２に示す終了処理を実行する。
図示するように、レジューム制御部１１２２は、終了処理において、ＡＶ処理部１１２１でWiFi接続しているモバイル装置２から出力コンテンツとして受信しているストリーミングデータを音声出力装置１０３や表示装置１０２に出力中であるかどうかを調べる（ステップ２０２）。
【００３３】
そして、モバイル装置２から受信しているストリーミングデータを出力中でなければ（ステップ２０２）、リモートコンテンツ出力アプリケーション１１２を終了する（ステップ２１０）。
一方、モバイル装置２から受信しているストリーミングデータを出力中であれば（ステップ２０２）、ＡＶ処理部１１２１における出力コンテンツの音声出力装置１０３や表示装置１０２への出力を停止すると共に、ＧＵＩ処理部１１２３におけるユーザ操作の受け付けを停止する（ステップ２０４）。
【００３４】
そして、モバイル装置２から出力コンテンツとして送信されているストリーミングデータの一定再生時間分（たとえば、２０秒）の受信と受信したストリーミングデータのレジューム用データとしての記憶装置１０８への保存を行う（ステップ２０６）。
そして、一定再生時間分のストリーミングデータをレジューム用データとして保存したならば、レジューム情報を作成し記憶装置１０８に記憶する（ステップ２０８）
ここで、レジューム情報としては、WiFi接続しているモバイル装置２の識別、レジューム用データとして保存したストリーミングデータを出力コンテンツとして出力しているモバイルアプリケーションの識別、レジューム用データとして保存したストリーミングデータが含まれるコンテンツの識別、レジューム用データとして保存したストリーミングデータの末尾のプレイタイム（当該ストリーミングデータが含まれるコンテンツを先頭から通常再生したときの、当該末尾位置のコンテンツ先頭からの経過時刻）などを保存する。
【００３５】
そして、レジューム情報を記憶したならば、リモートコンテンツ出力アプリケーション１１２を終了する（ステップ２１０）。
以上、リモートコンテンツ出力アプリケーション１１２のレジューム制御部１１２２が行う終了処理について説明した。
次に、リモートコンテンツ出力アプリケーション１１２のレジューム制御部１１２２は、ACC電源がオンとなりオペレーティングシステム１０５からリモートコンテンツ出力アプリケーション１１２が起動されたならば、図３に示すレジューム処理を実行する。
図示するように、レジューム制御部１１２２は、レジューム処理において、まず、レジューム情報が記憶装置１０８に記憶されているかどうかを調べ（ステップ３０２）、記憶されていなければ、そのまま処理を終了する。
一方、レジューム情報が記憶されている場合には（ステップ３０２）、ＡＶ処理部１１２１に、レジューム用データとして保存されているストリーミングデータの音声出力装置１０３や表示装置１０２への再生出力を開始させる（ステップ３０４）。なお、ＡＶ処理部１１２１が、レジューム用データとして保存されているストリーミングデータの再生出力している期間中、ＧＵＩ処理部１１２３は、上述した所定のＧＵＩ画面を常時またはユーザの要求に応じて表示し、ＡＶ処理部１１２１のストリーミングデータの再生出力動作を、ユーザ操作に応じて制御する。
【００３６】
そして、所定期間（たとえば、１５秒）以内の車載装置１とモバイル装置２とのWiFi接続の確立の発生を監視し（ステップ３０６）、所定期間内にモバイル装置２とのWiFi接続が確立しなかった場合には、ＡＶ処理部１１２１にレジューム用データとして保存されているストリーミングデータの再生出力を停止させ（ステップ３２４）、レジューム情報とレジューム用データをクリアし（ステップ３２２）処理を終了する。
【００３７】
一方、所定期間内にモバイル装置２とのWiFi接続が確立した場合には、接続したモバイル装置２がレジューム情報に識別が登録されているモバイル装置２であるかどうかを調べ（ステップ３０８）、レジューム情報に識別が登録されているモバイル装置２でなければ、ＡＶ処理部１１２１にレジューム用データとして保存されているストリーミングデータの再生出力を停止させ（ステップ３２４）、レジューム情報とレジューム用データをクリアし（ステップ３２２）処理を終了する。
【００３８】
そして、接続したモバイル装置２がレジューム情報に識別が登録されているモバイル装置２である場合には（ステップ３０８）、接続したモバイル装置２の、レジューム情報に識別が登録されているモバイルアプリケーションにレジューム情報に識別が登録されているコンテンツの、レジューム情報に登録されているプレイタイムからのストリーミングデータの出力開始を指示する（ステップ３１０）。
【００３９】
ここで、レジューム制御部１１２２から出力開始の指示を受けたモバイル装置２のモバイルアプリケーションは、出力開始を指示されたコンテンツが既に存在しない、または、当該コンテンツにアクセスできないなどの理由により、当該コンテンツを出力できない場合には、出力不能応答を車載装置１に送信し、当該コンテンツを出力できる場合には、出力可能応答を車載装置１に送信すると共に、出力開始を指示されたコンテンツの指示されたプレイタイム以降のストリーミングデータの出力コンテンツとしての車載装置１への出力を開始する。
【００４０】
さて、レジューム制御部１１２２は、ストリーミングデータの出力開始を指示したならば（ステップ３１０）、接続したモバイル装置２のモバイルアプリケーションからの出力不能応答の受信の発生（ステップ３１２）と出力可能応答の受信の発生を監視し（ステップ３１４）、出力不能応答の受信が発生したならば、ＡＶ処理部１１２１に、レジューム用データとして保存されているストリーミングデータの再生出力を停止させ（ステップ３２４）、レジューム情報とレジューム用データをクリアし（ステップ３２２）処理を終了する。
【００４１】
一方、出力可能応答の受信が発生した場合には（ステップ３１４）、モバイル装置２から出力コンテンツとして受信するストリーミングデータを記憶装置１０８に設けたバッファに格納するバッファリングを開始する（ステップ３１６）。
そして、レジューム用データとして保存されているストリーミングデータの末尾までの再生出力の完了を待って（ステップ３１８）、ＡＶ処理部１１２１に、ステップ３１６で開始したバッファリングで記憶装置１０８のバッファに格納されているストリーミングデータの先頭からの音声出力装置１０３や表示装置１０２への出力を開始させる（ステップ３２０）、そして、レジューム情報とレジューム用データをクリアし（ステップ３２２）処理を終了する。なお、ＡＶ処理部１１２１がバッファリングされたストリーミングデータの再生出力している期間中、ＧＵＩ処理部１１２３は、上述した所定のＧＵＩ画面を常時またはユーザの要求に応じて表示し、ＡＶ処理部１１２１のストリーミングデータの再生出力動作を、ユーザ操作に応じて制御する。
【００４２】
以上、リモートコンテンツ出力アプリケーション１１２のレジューム制御部１１２２が行うレジューム処理について説明した。
ここで、図４に、以上のようなレジューム制御部１１２２の終了処理とレジューム処理とにより実現されるレジューム動作の動作例を示す。
今、車載装置１においてモバイル装置２からストリームST1のストリーミングデータを受信し、音声出力装置１０３や表示装置１０２に出力しているときに、ストリーミングデータのプレイタイムT0でACC電源のオフが発生すると、ストリーミングデータの音声出力装置１０３や表示装置１０２への出力は停止される。一方、モバイル装置２からストリーミングデータの受信は、プレイタイムT0から所定時間後のプレイタイムT1までのストリーミングデータを受信するまで継続され、プレイタイムT0からプレイタイムT1までのストリーミングデータが記憶装置１０８にレジューム用データとして保存され、この後、車載装置１の動作が停止する。
【００４３】
そして、その後、ACC電源がオンとなると、レジューム用データとして保存されているプレイタイムT0からプレイタイムT1までのストリーミングデータの音声出力装置１０３や表示装置１０２への出力が開始される。
一方で、レジューム用データの出力が完了する前に、前回のACC電源のオフ時に接続していたモバイル装置２の接続が発生すると、モバイル装置２からストリーミングデータのプレイタイムT1の位置からの車載装置１への出力が行われ、車載装置１においてバッファにバッファリングされていく。
【００４４】
そして、レジューム用データの出力が完了したならば、バッファリングされているストリーミングデータのプレイタイムT1の位置からの音声出力装置１０３や表示装置１０２への出力が開始される。
よって、レジューム用データのストリームST1のストリーミングデータのプレイタイムT1までの出力完了に引き続いて、バッファリングされているストリームST1のプレイタイムT1からのストリーミングデータの出力が行われることとなり、ストリームST1のストリーミングデータの出力はシームレスに行われることとなる。
【００４５】
結果、本実施形態によれば、ストリームST1の前回出力を停止したプレイタイムT0からのレジューム再生を、モバイル装置２との接続確立前のACC電源がオンとなった直後の時点から開始することができることとなる。
以上、本発明の実施形態について説明した。
ここで、以上の実施形態において、車載装置１は、地図の出力のレジューム、すなわち、オペレーティングシステム１０５からリモートコンテンツ出力アプリケーション１１２の終了を指示されたときに出力していたモバイル装置２のマップアプリケーション２１３から出力コンテンツとして受信した地図の表示を、車載装置１の起動時に復帰する動作も行うようにしてもよい。
【００４６】
すなわち、この場合には、リモートコンテンツ出力アプリケーション１１２のレジューム制御部１１２２が以下のように終了処理とレジューム処理を行うようにすればよい。
この場合には、図２に示した終了処理において、終了処理が起動されたならば、まず、モバイル装置２のマップアプリケーション２１３から出力コンテンツとして地図を受信し出力しているかどうかを調べ、地図を受信し出力している場合には、図５に示す地図情報保存処理を起動するようにする。
【００４７】
そして、地図情報保存処理において、地図の表示装置１０２への出力と地図に対する操作の受け付けを停止し（ステップ５０２）、マップアプリケーション２１３を制御し、現在出力している地図の地理的範囲を含むより広域な範囲の地図と、現在出力している地図と中心位置が一致する現在出力している地図の縮尺と異なる複数の縮尺の地図を取得し、地図レジューム用データとして保存する（ステップ５０４）。すなわち、現在出力している地図が図６ａ１であれば、図６ａ２に示す現在出力している地図の地理的範囲６０１を含む、より広域な地図をマップアプリケーション２１３から所要地理的範囲の地図を取得して生成し、地図レジューム用データとして保存する。また、現在出力している地図が図６ｂ２の縮尺の地図であれば、現在の出力している地図よりも縮尺が大きい図６ｂ１の地図や、現在の出力している地図よりも縮尺が小さい図６ｂ３に示す地図をマップアプリケーション２１３から取得して地図レジューム用データとして保存する。
【００４８】
そして、リモートコンテンツ出力アプリケーション１１２の終了を指示されたときに出力していた地図の地理的範囲や縮尺を地図レジューム情報として保存し（ステップ５０６）、処理を終了する。
なお、地図情報保存処理を起動した場合、図２に示した終了処理では、地図情報保存処理の完了を待って、ステップ２１０のリモートコンテンツ出力アプリケーション１１２の終了を行うようにする。
一方、図３に示したレジューム処理は、起動されたならば、まず、地図レジューム情報が保存されているかどうかを調べ、保存されている場合には、地図レジューム処理を起動するようにする。
そして、地図レジューム処理において、ＡＶ処理部１１２１に、地図レジューム情報が示す地理的範囲、縮尺の地図レジューム用データを用いた地図を表示装置１０２に出力させる。
ここで、ＡＶ処理部１１２１が地図レジューム用データを用いた地図を表示している期間中、ＧＵＩ処理部１１２３は、ユーザからの地図スクロール操作や縮尺変更操作を受け付けて、ＡＶ処理部１１２１に、地図レジューム用データを用いた表示している地図のスクロールや縮尺変更を行わせる。
【００４９】
一方、地図レジューム処理は、以降、モバイル装置２の接続を監視し、モバイル装置２が接続したならば、モバイル装置２のマップアプリケーション２１３に地図レジューム情報が示す地理的範囲、縮尺の地図を要求し、当該要求に応答してマップアプリケーション２１３から、出力コンテンツとして地図を受信したならば、ＡＶ処理部１１２１に、表示装置１０２への出力を受信した地図に切り替えさせる。なお、これ以降、ＧＵＩ処理部１１２３は、ユーザからの地図スクロール操作や縮尺変更操作を受け付けて、マップアプリケーション２１３に出力コンテンツとして出力する地図のスクロールや縮尺変更を行わせることとなる。
【００５０】
以上のように地図情報保存処理や地図レジューム処理を行うことにより、モバイル装置２との接続が確立する以前のACC電源がオンされた直後の時点から、前回ACC電源がオフされていたときの地図の表示を復帰するとともに、地図レジューム用データに保存されている地図の地理的範囲や縮尺において可能な範囲において、ユーザ操作に応じて当該地図のスクロールや縮尺変更を行うことができるようになる。
【００５１】
ところで、以上の実施形態では、リモートコンテンツ出力アプリケーション１１２がＧＵＩ処理部１１２３を備え、ＧＵＩ処理部１１２３において所定のＧＵＩ画面を用いて、モバイル装置２のプレイヤアプリケーション２１２やマップアプリケーション２１３の動作を制御する場合について説明したが、リモートコンテンツ出力アプリケーション１１２は、ＧＵＩ処理部１１２３を備えずに、ＡＶ処理部１１２１において、トランスペアレントにモバイル装置２から受信した出力コンテンツの音声出力装置１０３や表示装置１０２への再生出力のみを行うものであってもよい。
【００５２】
また、この場合には、レジューム制御部１１２２は、終了処理において、オペレーティングシステム１０５からリモートコンテンツ出力アプリケーション１１２の終了を指示されたときに、モバイル装置２から出力コンテンツとしてオーディオストリーミングデータと静止画の画像データを受信し出力している場合には、オーディオストリーミングデータに加え画像データもレジューム用データとして保存し、レジューム処理において、レジューム用データとして保存したオーディオストリーミングデータの出力が停止するまで、または、モバイル装置２より表示すべき出力コンテンツを受信するまで、レジューム用データとして保存した画像データが表す静止画を表示装置１０２に表示するようにしてもよい。また、このとき、静止画の表示と共に、現在、モバイル装置２との接続処理中である旨を示す表示を行うようにしてもよい。
【００５３】
なお、以上の実施形態ではWi-Fiで車載装置１とモバイル装置２を接続したが、車載装置１とモバイル装置２は他の無線インタフェースたとえばBluetooth（登録商標）を用いて車載装置１とモバイル装置２を接続する場合にも同様に適用可能である。
また、以上の実施形態におけるレジューム制御部１１２２の構成や動作は、車載装置１のみならずモバイル装置２と接続し、モバイル装置２のコンテンツを再生出力する任意のデータ処理装置に同様に適用可能である。
【符号の説明】
【００５４】
１…車載装置、２…モバイル装置、１０１…入力装置、１０２…表示装置、１０３…音声出力装置、１０４…ＷｉＦｉインタフェース、１０５…オペレーティングシステム、１０６…放送受信機、１０７…ディスクドライブ、１０８…記憶装置、１１１…メディアプレイヤアプリケーション、１１２…リモートコンテンツ出力アプリケーション、２０１…操作部、２０２…ディスプレイ、２０３…音声入出力部、２０４…モバイルＷｉＦｉインタフェース、２０５…モバイルオペレーティングシステム、２０６…ＧＰＳ受信機、２０７…ジャイロセンサ、２０８…記憶部、２０９…移動通信装置、２１１…移動電話アプリケーション、２１２…プレイヤアプリケーション、２１３…マップアプリケーション、２１４…モバイルアプリケーション、１１２１…ＡＶ処理部、１１２２…レジューム制御部、１１２３…ＧＵＩ処理部。
【図１】
2015015663.tif 000003
【図２】
2015015663.tif 000004
【図３】
2015015663.tif 000005
【図４】
2015015663.tif 000006
【図５】
2015015663.tif 000007
【図６】
2015015663.tif 000008